(57)【要約】液晶表示（ＬＣＤ）システムは、所定の電圧値に対して対称な値を持つ幾つかのＬＣＤ駆動電圧を生成する手段を有し、この手段が上記ＬＣＤ駆動電圧のそれぞれにバッファ容量を与えるためのバッファキャパシタの構成を備えると共に、ＬＣＤパネルの画素の適切な光レベルをもたらす上記ＬＣＤ駆動電圧に対応する電圧を上記ＬＣＤパネルの端子に供給するためのマトリクススイッチング及び制御手段を備えたＬＣＤドライバ回路を更に有する。ＬＣＤ駆動電圧値を規定するために、少なくとも１つのポンプキャパシタ及びスイッチング素子を備えた少なくとも１つのチャージポンプユニットが設けられており、この少なくとも１つのチャージポンプユニットは上記バッファキャパシタに接続されている。
2006507534.tif 000002
【特許請求の範囲】
【請求項１】
所定の電圧値に対して対称な値を持つ幾つかのＬＣＤ駆動電圧を生成する手段を有し、この手段が前記ＬＣＤ駆動電圧のそれぞれにバッファ容量を与えるためのバッファキャパシタの構成を備えると共に、ＬＣＤパネルの画素の適切な光レベルをもたらす前記ＬＣＤ駆動電圧に対応する電圧を前記ＬＣＤパネルの端子に供給するためのマトリクススイッチング及び制御手段を備えたＬＣＤドライバ回路を更に有する液晶表示（ＬＣＤ）システムであって、
少なくとも１つのポンプキャパシタとスイッチング素子とを備えた少なくとも１つのチャージポンプユニットが前記バッファキャパシタに接続されたことを特徴とする液晶表示システム。
【請求項２】
前記幾つかのＬＣＤ駆動電圧を生成する手段が前記バッファキャパシタの構成に出力電圧を供給するためのＤＣ／ＤＣコンバータを有し、ＬＣＤ駆動電圧差の第１のグループを規定するための少なくとも１つの第１のポンプキャパシタ及び対応するスイッチと、前記少なくとも１つの第１のポンプキャパシタ及び対応するスイッチと組み合わせられてＬＣＤ駆動電圧差の第２のグループを規定するための少なくとも１つの第２のポンプキャパシタ及び対応するスイッチとを有するチャージポンプユニットが設けられており、前記後者の電圧差は前記第１のグループの前記ＬＣＤ駆動電圧差に実質的に等しいことを特徴とする請求項１記載のＬＣＤシステム。
【請求項３】
前記幾つかのＬＣＤ駆動電圧を生成する手段が前記バッファキャパシタの構成に出力電圧を供給するためのＤＣ／ＤＣコンバータを有し、ＬＣＤ駆動電圧差の第１のグループを規定するための少なくとも１つのポンプキャパシタ及び対応するスイッチを有する第１のチャージポンプユニットが設けられると共に、ＬＣＤ駆動電圧差の第２のグループを規定するための少なくとも１つのポンプキャパシタ及び対応するスイッチを有する第２のチャージポンプユニットが設けられていることを特徴とする請求項１記載のＬＣＤシステム。
【請求項４】
前記幾つかのＬＣＤ駆動電圧を生成する手段が前記バッファキャパシタの構成に出力電圧を供給するためのＤＣ／ＤＣコンバータを有し、実質的に等しいＬＣＤ駆動電圧差の第１のグループを規定するための少なくとも１つの第１のポンプキャパシタ及び対応するスイッチと、前記少なくとも１つの第１のポンプキャパシタ及び対応するスイッチと組み合わせられて実質的に等しいＬＣＤ駆動電圧の同じグループを規定するための少なくとも１つの第２のポンプキャパシタ及び対応するスイッチとを有する第１のチャージポンプユニットが設けられていることを特徴とする請求項１記載のＬＣＤシステム。
【請求項５】
前記幾つかのＬＣＤ駆動電圧を生成する手段が前記バッファキャパシタの構成に出力電圧を供給するためのＤＣ／ＤＣコンバータを有し、ＬＣＤ電圧差の第１のグループを規定するための少なくとも１つの第１のポンプキャパシタ及び対応するスイッチと、前記少なくとも１つの第１のポンプキャパシタ及び対応するスイッチと組み合わせられて前記第１のグループの駆動電圧差と実質的に等しいＬＣＤ駆動電圧の第２のグループを規定するための少なくとも１つの第２のポンプキャパシタ及び対応するスイッチとを有する第１のチャージポンプユニットが設けられると共に、実質的に等しいＬＣＤ駆動電圧差の追加のグループを規定するための少なくとも１つの第３のポンプキャパシタ及び対応するスイッチを有する第２のチャージポンプユニットが設けられていることを特徴とする請求項１記載のＬＣＤシステム。
【請求項６】
前記幾つかのＬＣＤ駆動電圧を生成する手段が、前記ＬＣＤ駆動電圧を生成するようにバッテリー電圧を与えられるＤＣ／ＤＣアップコンバータを有することを特徴とする請求項２記載のＬＣＤシステム。
【請求項７】
前記幾つかのＬＣＤ駆動電圧を生成する手段が、前記ＬＣＤ駆動電圧を生成するようにバッテリー電圧を与えられるＤＣ／ＤＣダウンコンバータを有することを特徴とする請求項２記載のＬＣＤシステム。
【発明の詳細な説明】
【技術分野】
【０００１】
本発明は、所定の電圧値に対して対称な値を持つ幾つかの液晶表示（ＬＣＤ）駆動電圧を生成する手段を有し、この手段がＬＣＤ駆動電圧のそれぞれにバッファ容量を与えるためのバッファキャパシタの構成を備えると共に、ＬＣＤパネルの画素の適切な光レベルをもたらす前記ＬＣＤ駆動電圧に対応する電圧をＬＣＤパネルの端子に供給するためのマトリクススイッチング及び制御手段を備えたＬＣＤドライバ回路を更に有するＬＣＤシステムに関する。
【背景技術】
【０００２】
実際には、所与の電圧源、特にバッテリーによってのみ又はバッテリーからもたらされる電圧を用いて給電され、パネル上における映像の所与のフォーマットを有するＬＣＤモジュールが必要とされる。小型のＬＣＤシステムに関する最も重要なアプリケーションの１つは携帯電話であり、そのようなアプリケーションの電圧供給源はバッテリーである。主として、このバッテリーは、単一のＬｉイオン電池であるか又はニッケルカドミウム（ＮｉＣｄ）若しくはニッケル−金属水素化物（ＭｉＭＨ）電池のようなＮｉタイプの電池により形成されている。実際には、バッテリーの電圧は、完全に充電され、徐々に完全に放電された状態になる場合、Ｌｉタイプのバッテリーでは４．２から２．５Ｖまで変化し、Ｎｉタイプのバッテリーでは４．８から０．９Ｖまで変化する。必要とされるＬＣＤの駆動電圧は、この単一のバッテリー供給電圧から生成されるべきである。画質に加えて、待ち受け状態における電力消費量が携帯電話に関する最も重要なパラメータの１つである。ディスプレイは常にオン状態であり、ディスプレイの電力供給は気がかりな事柄である。従って、待ち受け状態における電力消費量を低く維持するために、単一のバッテリーの電圧の幾つかのよく制御されたＬＣＤ駆動電圧への変換がかなり高い効率でなされることが必要である。
【０００３】
冒頭の段落において述べたようなＬＣＤシステムは、ＵＳ−Ａ−５，９８６，６４９公報から知られている。この公報では、明確な電圧Ｖ３及び−Ｖ３を得るために幾つかの対称なＬＣＤ電圧を生成する手段にチャージポンプ技術が適用されているのに対して、明確な中間電圧Ｖ２、ＶＣ及び−Ｖ２は、抵抗器Ｒ１〜Ｒ４と演算増幅器ＯＰ１，ＯＰ２とキャパシタＣ１〜Ｃ４の直列配置とを含むドライバ素子により生成される。この既知のシステムは明確なＬＣＤ駆動電圧を生成するが、これらの増幅器において生じる負荷電流と組み合わせられる上述したようなドライバ素子の適用は（特に演算増幅器における）エネルギーの損失を招き、これは実際には常に許容可能であるとは限らない。
【発明の開示】
【発明が解決しようとする課題】
【０００４】
本発明の目的は、既知の構成と比較してＬＣＤ駆動電圧を生成する手段における損失が強く低減されるＬＣＤシステムを提供することにある。
【課題を解決するための手段】
【０００５】
従って、本発明によれば、冒頭の段落において述べたＬＣＤシステムは、少なくとも１つのポンプキャパシタとスイッチング素子とを備えた少なくとも１つのチャージポンプユニットがバッファキャパシタに接続されたことを特徴としている。
【０００６】
バッファキャパシタの出力部におけるチャージポンプ技術の適用とのバッファキャパシタの組み合わせは、幾つかのバッファキャパシタの間の電荷のやりとりを高い効率で可能にする。上記従来技術の場合のようなバッファ増幅器の使用はここでは不必要であり、その結果、ＬＣＤシステムにおいてより少ない電力が損失される。
【０００７】
上記バッファキャパシタの構成は、種々のやり方で実現され得る。上記従来技術の文献は、ＬＣＤ駆動電圧のそれぞれの間のバッファキャパシタを備えた単一の供給電圧装置の出力端子間に配されたバッファキャパシタの直列配置を教示している。他の可能なバッファキャパシタの構成は、バッファキャパシタが対応するＬＣＤ駆動電圧と共通ポイント、例えばグランド又は対称な値を持つ他のＬＣＤ駆動電圧を基準とするＬＣＤ駆動電圧との間に配された星形構成である。バッファキャパシタの直列配置と星形配置との組み合わせも可能である。
【０００８】
より具体的な形態では、上記ＬＣＤシステムは、幾つかのＬＣＤ駆動電圧を生成する手段がバッファキャパシタの構成に出力電圧を供給するためのＤＣ／ＤＣコンバータを有し、ＬＣＤ駆動電圧差の第１のグループを規定するための少なくとも１つの第１のポンプキャパシタ及び対応するスイッチと、少なくとも１つの第１のポンプキャパシタ及び対応するスイッチと組み合わせられてＬＣＤ駆動電圧差の第２のグループを規定するための少なくとも１つの第２のポンプキャパシタ及び対応するスイッチとを有するチャージポンプユニットが設けられており、上記後者の電圧差は第１のグループのＬＣＤ駆動電圧差に実質的に等しいことを特徴としている。他の具体的な形態では、上記ＬＣＤシステムは、幾つかのＬＣＤ駆動電圧を生成する手段がバッファキャパシタの構成に出力電圧を供給するためのＤＣ／ＤＣコンバータを有し、ＬＣＤ駆動電圧差の第１のグループを規定するための少なくとも１つのポンプキャパシタ及び対応するスイッチを有する第１のチャージポンプユニットが設けられると共に、ＬＣＤ駆動電圧差の第２のグループを規定するための少なくとも１つのポンプキャパシタ及び対応するスイッチを有する第２のチャージポンプユニットが設けられていることを特徴としている。上記２つの形態の組み合わせが可能である。
【０００９】
ＬＣＤシステムは、特に携帯電話のために提供され、その場合、上記幾つかのＬＣＤ駆動電圧を生成する手段は、ＬＣＤ駆動電圧を生成するようにバッテリー電圧により給電されるＤＣ／ＤＣアップコンバータを有する。しかしながら、ＬＣＤ駆動電圧を生成するようにバッテリー電圧により給電されるＤＣ／ＤＣダウンコンバータが代替として適用され得る。これは、ダウンコンバージョンはアップコンバージョンよりも少ない出力リップルを与えるので利点を有する。適用可能なより低い容量値が、より小さい寸法及びより低い費用価格をもたらす。勿論、アップコンバージョン又はダウンコンバージョンの選択は、チャージポンプユニットの制御回路の実現のために重要である。
【００１０】
本発明は、以下に説明するような例から明らかであり、以下に説明するような例及び添付の図面を参照して理解されるであろう。
【発明を実施するための最良の形態】
【００１１】
図１は、バッテリー２により給電されるＬＣＤ供給電圧生成器１の形態の幾つかの対称なＬＣＤ電圧を生成する手段と、ＬＣＤパネル４の端子にＬＣＤ駆動電圧を供給するためのＬＣＤドライバ回路３とを備えたＬＣＤシステムの基本図である。ＬＣＤドライバ回路３は、既知の手法のマトリクススイッチングと制御手段とを有している。携帯電話に関して、６８行及び９８（又はカラーパネルの場合には３×９８）列のマトリクスが実際の構成である。このＬＣＤシステムは、上記ハードウェアを制御するための制御アルゴリズムを持つ処理器を更に有しているが、この処理器は図面には示されていない。
【００１２】
一例として、上記マトリクススイッチング及び制御手段は、以下のＬＣＤ駆動電圧、すなわちＶ３＝１５．８Ｖ；Ｖ２＝１０．７Ｖ；Ｖ１＝９．３Ｖ；ＶＣ＝７．９Ｖ；ＭＶ１＝６．５Ｖ；ＭＶ２＝５．１Ｖ及びＭＶ３＝０Ｖを必要とする。これらの値は図１に示されている。その次に両サイドに５．１Ｖを伴って広がっているＶＣ（Ｖcommon）を中心として展開された１．４Ｖの４つの積み重ねられた電圧がこれらの値から認知される。ＬＣＤに関して、グランドに対する電圧レベルは意味がなく、ＭＶ３以外の任意のレベルがゼロ基準として選択され得る。必要とされる電圧範囲は、例えば完全に充電された最大４．８Ｖの電圧を供給するバッテリー２により供給される電圧の範囲を超えるので、ＬＣＤ供給電圧生成器１において電圧アップコンバージョンの何らかの形が適用されなければならない。ＬＣＤドライバ回路３用のＬＣＤ駆動電圧は、よく制御され、バッテリーの充電状態と無関係である必要がある。
【００１３】
ＬＣＤパネル４により形成される負荷は容量性であるが、これは、ドライバ回路３に出力されるＬＣＤ駆動電圧が直流電流を供給してはいけないことを意味するのではない。しかしながら、ＬＣＤドライバ回路３により出力される駆動電圧の直流成分はゼロでなければならない。これは、同じ電圧であるが、逆の極性の電圧を用いてＬＣＤドライバ回路３を交流駆動することにより実現される。それを行う実際のやり方は、相補的な駆動電圧の存在を含む。上記駆動電圧は、ＶＣの値に対して対称の値を有しており、これを認識することができる。例えば、更なる説明において示されるように、電圧差Ｖ１−ＶＣ及びＶＣ−ＭＶ１は、端子ＶＣに及び端子ＶＣから等しい電流を与える。
【００１４】
上記ＬＣＤ供給電圧生成器１は駆動電流を出力しなければならない。負荷は容量性であるが、供給電圧生成器により出力されるべき正味の電流はゼロではない。最も意味のある電流は、Ｖ１から対応する負荷を介したＶＣへの電流及びＶＣからそのような負荷を介したＭＶ１への電流である。実際のＬＣＤシステムでは、１００ｍＡの大きさのオーダーの大きい単極性電流パルスがＶ１からＶＣに流れ、その後ＶＣからＭＶ１に流れる。これらの電流パルスは、１つの供給端子から他の供給端子に流れる平均電流の合計が例えば２５０μＡになる。
【００１５】
図２は、上記ＬＣＤ駆動回路３及びＬＣＤパネルが等価図５と取り替えられたＬＣＤシステムの一例を示しており、等価図５は矢印により平均負荷電流を示している。後に、短いピークの容量性負荷電流が、ＬＣＤ駆動回路３における適切に選択されたシーケンスにおいて生成される。これは、負荷電流がＬＣＤ駆動回路３のドライバの方式に依存して異なるタイムスロットで流れていることを意味する。このシーケンスは、ＬＣＤシステムの上記処理器の制御アルゴリズムにより実現される。
【００１６】
一例として、平均負荷電流は、Ｖ３→Ｖ１＝１２．５μＡ；Ｖ３→ＭＶ１＝１２．５μＡ；Ｖ２→ＶＣ＝０．５０μＡ及びＶ１→ＶＣ＝２５０μＡであり得る。対称な他の平均負荷電流は同じである。
【００１７】
図２の例では、ＬＣＤ供給電圧生成器１の出力ドライバ６〜１０は、ＬＣＤ駆動電圧Ｖ２，Ｖ１，ＶＣ，ＭＶ１，ＭＶ２を供給する。実用上の理由のために、これらの出力ドライバは最大及び最小の電圧Ｖ３及びＭＶ３を与えられる。しかしながら、より適切な供給電圧が選択され得る。
【００１８】
上述したように、平均電流は、ドライバの方式に依存する異なるタイムスロットで流れる多数の短いピークにより構成される。大きな電流パルスの存在は容量性の負荷の両端に電圧のステップを与えることにより生じる。ドライバ６〜１０の出力部におけるデカップリング又はバッファキャパシタ１１〜１６の利用は、この場合には大きな電流ピークがキャパシタにより与えられるので、これらのドライバの必要とされる性能を緩和し、平均電流を供給しなければならないのは専らドライバ６〜１０である。このケースでは、ドライバは低い電流駆動能力及びより高い出力インピーダンスを持っていてもよく、これはＩＣにおけるより小さい回路を意味する。
【００１９】
図２のシステムでは、平均負荷電流は出力ドライバ６〜１０を介して供給され、これらのドライバはＬＣＤ駆動電圧Ｖ２，Ｖ１，ＶＣ，ＭＶ１，ＭＶ２を供給する。供給電圧（この例では値Ｖ３及びＭＶ３）及び負荷電流に依存してドライバ６〜１０のそれぞれにおいて電力が損失される。各ドライバに対して最小の可能な供給電圧が使用されるより複雑な実現の場合でさえも、電力損失は依然として関心事である。
【００２０】
ＬＣＤシステムにおいて、交流動作状態は、２つの負荷電流供給源のセットに関するほぼ等しい負荷電流を意味する。従って、Ｖ１からＶＣまで及びその後のＶＣからＭＶ１までの負荷電流はＶＣ端子におけるゼロの正味電流を効果的にもたらす。ＶＣの負荷電流を考慮すると、デカップリングキャパシタの使用は、平均電流がゼロであるので、ＶＣ駆動電圧の直流インピーダンスがかなり高くてもよいことを意味する。これは、出力ドライバの代わりにＶＣの生成のために２つの抵抗器１７，１８を適用することを可能にする。そのような中間電圧ＶＣの生成は図３に示されている。電圧変換器１９が電圧Ｖ１及びＭＶ１を生成する。ドライバではなく単純な抵抗器の利用は、ドライバの省略による安価な解決策であり、エネルギーの損失を低減するが、図４を参照して説明されるように、他のＬＣＤ駆動電圧の生成が更なる問題に遭遇するのでこの解決策はあまり効果的ではない。
【００２１】
図２に示されているように、電圧Ｖ２，Ｖ１，ＶＣ，ＭＶ１，ＭＶ２は、瞬間的に非常に高い負荷ピークを与えるデカップリングキャパシタ１１〜１６により援助される直流ドライバ６〜９を用いて生成され得る。直流電流が出力される必要がない場合は、高オーミック抵抗器が適切な直流電圧を既に供給し得る。これは、図３に示されているようなＶＣに関する場合である。必要に応じて４つの等しい電圧Ｖ２−Ｖ１、Ｖ１−ＶＣ、ＶＣ−ＭＶ１及びＭＶ２−ＭＶ１の場合、Ｖ１、ＶＣ及びＭＶ１に関する端子における直流負荷電流がゼロである場合にのみこの測定が行われ得る。しかしながら、これは当該ケースではない。図２を見ると、Ｖ１からＶＣ及びその後のＶＣからＭＶ１への負荷電流は対応するドライバを介して以外は供給されない。負荷電流に関する上記例に示されているように、Ｖ２からＶＣ及びその後のＶＣからＭＶ２に出力される電流はＶＣに実質的な正味電流をもたらさない。図４には、この４つの等しいＬＣＤ電圧差の電流負荷のない状態が高オーミック抵抗器１７〜２０を用いて応答され得るＬＣＤ電圧生成器が示されている。しかしながら、実際の電流負荷は、幾つかの駆動電圧の直流電位を変化させる。低オーミック抵抗器の適用はエネルギー損失のために受け入れられることができず、適切な電圧を与える異なる値を伴う抵抗器の適用は明確な一定の電流を伴う場合にのみ可能である。これは、ＬＣＤパネルの負荷電流が画像の内容により決定されるので可能ではない。電流負荷のない１．４Ｖの４つの等しい電圧からはずれて、２つの中央のキャパシタ１３，１４は放電され、２つの隣接するキャパシタ１２，１５は負荷電流により充電され、その結果、電圧Ｖ１−ＶＣ及びＶＣ−ＭＶ１は１．４Ｖよりも低くなり、電圧Ｖ２−Ｖ１及びＭＶ１−ＭＶ２は１．４Ｖよりも高くなる。電圧アップコンバータ２１は電圧Ｖ２及びＭＶ２を生成することに注意されたい。
【００２２】
図４から分かるように、等しいキャパシタの値であると、ＬＣＤ供給電圧生成器はキャパシタ１２及び１５を介して負荷電流の２分の１を出力する。内側のキャパシタ１３及び１４は放電され、隣接するキャパシタ１２及び１５は充電される。これは、より良好な手法が幾つかの直流電圧の決定のためのドライバ回路の適用であることを意味する。しかしながら、それは依然としてエネルギー効率の良い解決策ではない。
【００２３】
本発明によれば、チャージポンプ技術の適用が電荷の再分配を与える。すなわち、電荷が２つの充電されるキャパシタ１２，１５から２つの放電されるキャパシタ１３，１４に移動し得る。図５には、単一のチャージポンプキャパシタ２３とスイッチ２４〜２７とを組み合わせた形態のチャージポンプユニット２２を要するＬＣＤシステムが示されている。ポンプキャパシタ２３は、上記スイッチ２４〜２７を介して積み重ねられたキャパシタ１２〜１５に引き続き並列に接続され、１つのキャパシタから他のキャパシタに電荷を移動する。駆動電圧がある負荷電流のために乱されると、上記ポンプキャパシタが対応する駆動電圧を元に戻す。このシステムでは抵抗値が高い。実際に分かっているように、これまで、ポンプ技術は、専ら抵抗器が省略しさえもし得る負荷状態の下で正しい電圧の分布を与えてきた。エネルギーは１つのキャパシタから他のキャパシタに移動し、ＤＣ／ＤＣコンバータから供給されるべき電流は理論的には元の電流の２分の１である。
【００２４】
図４の実施の形態のケースのように、電圧アップコンバータ２８は電圧Ｖ２及びＭＣ２を生成することに注意されたい。電圧Ｖ１、ＶＣ及びＭＶ１は、図４の実施の形態におけるように抵抗器ではなくポンプ技術により得られる。
【００２５】
実際には、リップル、利用可能な成分の値、好ましいスイッチング周波数等の理由のためにより多くのポンプキャパシタを適用することが有利である。図６には、２つのポンプキャパシタ２９及び３０を用いた構成が示されている。この構成は、ポンプキャパシタ２９及びスイッチ２４，２５を備えた第１のグループと、ポンプキャパシタ３０及びスイッチ２６，２７を備えた第２のグループとを提示している。
【００２６】
図６では、中間直流電圧（すなわちＶＣ）を規定するための充分な手段が講じられていない。この場合も、これはドライバ回路又は抵抗器のペアの適用により実現され得る。
【００２７】
この特定の負荷の状態では、リーク、電流負荷等により生じる幾つかの可能な非対称性のみが考慮されなければならない。より大きい非対称性のために、２つのスイッチ−キャパシタのグループのオーバーラップを作ることがより望ましい。これは、図５に示されているような状態の２倍又は例えば２つの中央のキャパシタ１３及び１４のみが追加のスイッチを介して上記２つのグループのポンプキャパシタ２９及び３０に接続された中間の状態に幾分似ている。これは、図６において点線の矢印により示されているように、１つのポンプキャパシタから他のポンプキャパシタへの追加の電荷の移動を含んでいる。
【００２８】
これまで、５．１Ｖの外側の電圧に注意が払われていなかった。これらの電圧も、上記システムにおいて利用可能な電圧からチャージポンプ技術によりもたらされ得る。そのような十分な電圧はノードＶ２とノードＭＶ２との間において利用可能である。従って、図５の実施の形態は、図７に示されているような余分なポンプキャパシタ３１及びスイッチ３２〜３４の追加により拡大される。
【００２９】
図８は、図７とほぼ同一の実施の形態を示している。しかしながら、駆動電圧Ｖ２及びＭＶ２を得るためのアップコンバータではなく、駆動電圧Ｖ１及びＭＶ１を得るためのダウンコンバータ３５が与えられている。ダウンコンバージョンはアップコンバージョンよりも安価に実現され得るので、この実施の形態は利点を有している。駆動電圧ＶＣはポンプキャパシタ２９及びスイッチ２５，２６により規定され、駆動電圧Ｖ３、Ｖ２、ＭＶ２及びＭＶ３は両方のポンプキャパシタ２９及び３１とスイッチ２４，２７及び３２〜３４とにより規定され得る。
【００３０】
負荷電流のシーケンス及びその制御部並びにチャージポンプユニットのスイッチの制御部が上記ＬＣＤシステムの一部を形成する処理器により実現され得ることは明らかであろう。負荷電流のシーケンスは、チャージポンプユニットのスイッチの制御部に結合され得る。また、上記ＬＣＤシステムの制御部は、同一の周波数又は異なる周波数において同期性又は非同期性であり得る。これは、画像のアーチファクトに対して利点を有する。
【００３１】
本発明は上記各実施の形態に限定されるものではなく、以下の特許請求の範囲内における変更が可能である。特に、チャージポンプユニットは、より多くのポンプキャパシタの装置及びスイッチの他の構成により異なるやり方で実現されてもよい。より多くのチャージポンプユニットが与えられてもよい。また、例えば、図６の構成が図７の構成と組み合わせられてもよく、これは、それぞれスイッチのセットを用いて動作可能である合計で３つのポンプキャパシタ、すなわち、ＬＣＤ駆動電圧Ｖ２、Ｖ１及びＶＣを規定する第１のポンプキャパシタ２９及びスイッチ２４，２５と、ＬＣＤ駆動電圧ＶＣ、ＭＶ１及びＭＶ２を規定するスイッチ２６，２７を伴う第２のポンプキャパシタ３０と、ＬＣＤ駆動電圧Ｖ３及びＭＶ３を規定するスイッチ３２，３３，３４を伴う第３のポンプキャパシタ３１とを持つ２つのチャージポンプユニットを備えたＬＣＤシステムをもたらす。一般に、このケースのＬＣＤシステムは、幾つかのＬＣＤ駆動電圧を生成する手段がバッファキャパシタの構成に出力電圧を供給するためのＤＣ／ＤＣコンバータを有し、等しいＬＣＤ駆動電圧差の第１のグループを規定するための少なくとも１つの第１のポンプキャパシタ及び対応するスイッチと、上記少なくとも１つの第１のポンプキャパシタ及び対応するスイッチと組み合わせられて、上記第１のグループのＬＣＤ駆動電圧差に等しい、等しいＬＣＤ駆動電圧差の第２のグループを規定するための少なくとも１つの第２のポンプキャパシタ及び対応するスイッチとを有する第１のチャージポンプユニットが設けられると共に、等しいＬＣＤ駆動電圧差の追加のグループを規定するための少なくとも１つの第３のポンプキャパシタ及び対応するスイッチを有する第２のチャージポンプユニットが設けられていることを特徴としている。
【００３２】
液晶に関してゼロの平均値を持つ駆動電圧が印加されなければならないことが制約である。これに関して、ＶＣの周りに実質的に対称な値を持つ幾つかの駆動電圧が利用可能とされることが必要であり、各図面及び上記説明の例は、中心点ＶＣの周りに４つの実質的に等しいＬＣＤ駆動電圧差を伴うＬＣＤシステムを提供する。このシステムは、特にカラーＬＣＤに関して、４を超えるそのような電圧差を与えるシステムに拡大されてもよいことが理解されるべきである。
【００３３】
各図面及び上記説明の例は、関連する端子が何らかの電流の影響を受ける場合にＬＣＤ駆動電圧をほぼ一定に保つバッファキャパシタの直列接続を示しているが、上記説明の最初の部分に示されているような代替のバッファキャパシタの構成が同様に可能である。
【００３４】
更に、ＤＣ／ＤＣコンバータのタイプは重要ではないことに注意されたい。コンバータは誘導性（アップ、ダウン及びアップ／ダウン）であってもよいし、容量性であってもよく、後者の場合にはチャージポンプ技術が適用される。コンバータの選択は、コスト、実際の入力電圧の範囲及び必要とされる効率により決定される。
【図面の簡単な説明】
【００３５】
【図１】ＬＣＤシステムの基本図である。
【図２】最新技術によるドライバ素子を備えたＬＣＤシステムを示している。
【図３】中心点の電圧ＶＣの可能な生成を伴うＬＣＤシステムの一部を示している。
【図４】図３のシステムの非適用可能な拡張を示している。
【図５】ＤＣ／ＤＣアップコンバータを備えたＬＣＤ供給電圧生成器の第１の実施の形態を示しており、本発明によるエネルギーの消費の低減及び電圧生成のために生成器のチャージポンプ技術が適用されている。
【図６】チャージポンプユニットの代替の実現を伴うそのような電圧生成器の第２の実施の形態を示している。
【図７】ＬＣＤシステムに追加の駆動電圧を供給する第２のチャージポンプユニットを備えたそのような電圧生成器の第３の実施の形態を示している。
【図８】ＤＣ／ＤＣダウンコンバータを備え、図７に示されているようなチャージポンプユニットの実現を伴うＬＣＤ供給電圧生成器の第４の実施の形態を示している。
【図１】
2006507534.tif 000003
【図２】
2006507534.tif 000004
【図３】
2006507534.tif 000005
【図４】
2006507534.tif 000006
【図５】
2006507534.tif 000007
【図６】
2006507534.tif 000008
【図７】
2006507534.tif 000009
【図８】
2006507534.tif 000010
【国際調査報告】
2006507534.tif 000011
2006507534.tif 000012
2006507534.tif 000013